(57)【特許請求の範囲】
【請求項１】
モバイル無線ネットワークを備え、
当該モバイル無線ネットワークは、無線アクセスインタフェースを介してモバイル通信装置へ及びからデータを通信するように構成される１つ以上の基地局を含み、
前記モバイル無線ネットワークは、メッセージプロセッサと、メッセージストアと、を含むように適合され、
前記メッセージストアは、前記１つ以上の基地局と前記モバイル通信装置のうちの１つ以上との間の所定のメッセージ交換のセットにおける１つ以上のメッセージ交換の各々の標識を記憶するように構成され、
各メッセージ交換は、所定のメッセージの所定のセットを含み、並びに基地局と前記モバイル通信装置との間でアップリンク及び／又はダウンリンク上で前記メッセージ交換を通信するための所定のアップリンク通信リソース及び／又はダウンリンク通信リソースを必要とし、
前記メッセージプロセッサは、動作中に、
前記メッセージストアに記憶される前記メッセージ交換の前記標識を用いて、前記モバイル通信装置への通信のための会話割り当てメッセージを生成し、及び
前記会話割り当てメッセージを前記モバイル通信装置に通信する
ように構成され、
当該会話割り当てメッセージは、前記メッセージ交換における一連のメッセージを通信するための前記ダウンリンク及び／又は前記アップリンク上の通信リソースの割り当てのリストに関連付けられた標識を前記モバイル通信装置に提供し、
前記会話割り当てメッセージに応じて、前記モバイル通信装置及び当該モバイル通信装置がアタッチされる基地局は、前記会話割り当てメッセージによって割り当てられる前記通信リソースを用いて前記メッセージ交換の前記メッセージを通信するように構成される、
通信システム。
【請求項２】
前記メッセージプロセッサは、動作中に、
前記無線アクセスインタフェースを介してメッセージ交換が通信されるべきであるという標識に応答し、
前記メッセージ交換を前記所定のメッセージ交換のセットのうちの１つであると認識し、前記メッセージストアにおいて提供される前記標識から認識された前記メッセージ交換から前記会話割り当てメッセージを生成する
ように構成される、請求項１に記載の通信システム。
【請求項３】
前記メッセージストアは、
各メッセージ交換について、当該メッセージ交換を通信するための前記アップリンク通信リソース及び／又はダウンリンク通信リソースを割り当てるための前記会話割り当てメッセージを記憶する、
請求項１又は２に記載の通信システム。
【請求項４】
前記メッセージプロセッサは、
より上位の層のサーバから前記メッセージ交換の標識を受信し、及び、当該メッセージ交換の当該標識を用いて前記会話割り当てメッセージを取得することによって当該メッセージ交換の当該標識から前記会話割り当てメッセージを生成する
ように構成される、請求項３に記載の通信システム。
【請求項５】
前記メッセージプロセッサは、
前記モバイル通信装置から受信され又は前記モバイル通信装置に送信されるべきシグナリングメッセージを識別することによって前記メッセージ交換を認識し、及び認識された前記メッセージ交換から前記会話割り当てメッセージを生成する
ように構成される、請求項１又は２に記載の通信システム。
【請求項６】
前記シグナリングメッセージは、
前記アップリンク又は前記ダウンリンク上で通信される、１つの基地局から別の基地局への前記モバイル通信装置のハンドオーバの標識を提供する、
請求項５に記載の通信システム。
【請求項７】
前記メッセージ交換は、前記アップリンク又は前記ダウンリンク上での通信のためのデータメッセージを含み、
前記メッセージ交換の前記標識は、前記モバイル通信装置へ又はから通信されるべき前記データメッセージの長さである、
請求項５に記載の通信システム。
【請求項８】
前記会話割り当てメッセージは、
前記１つ以上の関連付けられたシグナリングメッセージ及びデータメッセージの前記通信のためにダウンリンク共有チャネル又はアップリンク共有チャネルのうちの一方又は双方上のリソースを割り当てる、
請求項１に記載の通信システム。
【請求項９】
前記メッセージプロセッサは、
前記モバイル通信装置がアタッチされる前記基地局の一部を形成する、
請求項１又は２に記載の通信システム。
【請求項１０】
前記メッセージ交換のセットを記憶する前記メッセージストアは、
前記モバイル通信装置がアタッチされる前記基地局の一部を形成する、
請求項１に記載の通信システム。
【請求項１１】
前記基地局の各々は、
対応する会話割り当てメッセージを用いて当該基地局を介して通信するために利用可能である前記メッセージ交換のセットを示すブロードキャスト信号を送信するように構成される、
請求項４又は５に記載の通信システム。
【請求項１２】
モバイル無線ネットワークを介してデータを通信するための通信装置であって、当該通信装置は、
当該通信装置がアタッチされる、前記モバイル無線ネットワークの１つ以上の基地局へ無線アクセスインタフェースを介してデータを送信し及び１つ以上の基地局から無線アクセスインタフェースを介してデータを受信するように構成される送信器／受信器ユニットと、
前記送信器／受信器ユニットを介したデータの前記通信を制御するためのコントローラと、
を備え、
前記モバイル無線ネットワークは、メッセージプロセッサと、メッセージストアと、を含み、
前記メッセージストアは、前記基地局と前記通信装置のうちの１つ以上との間の所定のメッセージ交換のセットにおける１つ以上のメッセージ交換の各々の標識を記憶するように構成され、
各メッセージ交換は、所定のメッセージの所定のセットを含み、並びにアップリンク及び／又はダウンリンク上で前記メッセージ交換を通信するために所定のアップリンク通信リソース及び／又はダウンリンク通信リソースを必要とし、
前記メッセージプロセッサは、動作中に、
前記メッセージストアに記憶されるメッセージ交換の標識を用いて、前記通信装置への通信のための会話割り当てメッセージを生成し、及び
前記会話割り当てメッセージを前記通信装置に通信する
ように構成され、
前記会話割り当てメッセージは、前記メッセージ交換における一連のメッセージを通信するための前記ダウンリンク及び／又は前記アップリンク上の通信リソースの割り当てのリストに関連付けられた標識を前記通信装置に提供し、
前記メッセージ交換を通信するための前記ダウンリンク及び／又は前記アップリンク上の前記通信リソースの割り当ての前記標識を提供する前記メッセージプロセッサから前記会話割り当てメッセージを受信することに応じて、前記コントローラは、前記送信器／受信器ユニットとの組み合わせにおいて、前記会話割り当てメッセージによって割り当てられる前記アップリンク通信リソース及び／又はダウンリンク通信リソースを用いて前記メッセージ交換の前記所定のメッセージを通信するように構成される、
通信装置。
【請求項１３】
前記メッセージ交換は、前記送信器／受信器ユニットから前記基地局へ前記アップリンク上でメッセージを通信することを含み、
前記会話割り当てメッセージは、前記通信装置によって前記基地局へ送られる前記メッセージを通信するための通信リソースについての要求に応じて前記メッセージプロセッサから送られる、
請求項１２に記載の通信装置。
【請求項１４】
前記会話割り当てメッセージは、前記メッセージ交換の前記通信のためにダウンリンク共有チャネル又はアップリンク共有チャネルのうちの一方又は双方上のリソースを割り当てる、
請求項１２又は１３に記載の通信装置。
【請求項１５】
前記コントローラは、前記送信器／受信器ユニットとの組み合わせにおいて、ブロードキャスト信号を受信するように構成され、
当該ブロードキャスト信号は、対応する会話割り当てメッセージを用いて前記基地局を介して通信するために利用可能である前記メッセージ交換のセットを示すデータを含む、
請求項１２、１３又は１４に記載の通信装置。
【請求項１６】
モバイル無線ネットワークの一部を形成するインフラストラクチャ機器であって、
当該インフラストラクチャ機器は、無線アクセスインタフェースを介して１つ以上のモバイル通信装置へ及びからデータを通信するように構成され、
前記インフラストラクチャ機器は、
前記インフラストラクチャ機器にアタッチされる前記モバイル通信装置のうちの１つ以上へ及びからデータを通信するように構成される送信器／受信器ユニットと、
メッセージプロセッサ及びメッセージストアと、
を備え、
前記メッセージストアは、前記インフラストラクチャ機器と前記モバイル通信装置のうちの１つ以上との間の所定のメッセージ交換のセットにおける１つ以上のメッセージ交換の各々の標識を記憶するように構成され、
各メッセージ交換は、所定のメッセージの所定のセットを含み、並びに前記インフラストラクチャ機器と前記モバイル通信装置との間でアップリンク及び／又はダウンリンク上で前記メッセージ交換を通信するための所定のアップリンク通信リソース及び／又はダウンリンク通信リソースを必要とし、
前記メッセージプロセッサは、動作中に、
前記メッセージストアに記憶される前記メッセージ交換の前記標識を用いて、前記モバイル通信装置への通信のための会話割り当てメッセージを生成し、
前記会話割り当てメッセージを前記モバイル通信装置に通信し、
前記送信器／受信器ユニットを用いて前記モバイル通信装置と前記メッセージ交換を通信する
ように構成され、
前記会話割り当てメッセージは、前記メッセージ交換における一連のメッセージを通信するための前記ダウンリンク及び／又は前記アップリンク上の通信リソースの割り当てのリストに関連付けられた標識を前記モバイル通信装置に提供する、
インフラストラクチャ機器。
【請求項１７】
前記メッセージ交換は、前記モバイル通信装置から前記インフラストラクチャ機器へ前記アップリンク上でメッセージを通信することを含み、
前記モバイル通信装置から受信される前記メッセージを通信するための通信リソースについての要求に応じて、前記会話割り当てメッセージは、前記メッセージプロセッサによって生成される、
請求項１６に記載のインフラストラクチャ機器。
【請求項１８】
前記会話割り当てメッセージは、１つ以上の関連付けられたシグナリングメッセージ及びデータメッセージの前記通信のためにダウンリンク共有チャネル又はアップリンク共有チャネルのうちの一方又は双方上のリソースを割り当てる、
請求項１６又は１７に記載のインフラストラクチャ機器。
【請求項１９】
前記インフラストラクチャ機器は、基地局、ノードＢ又はｅノードＢである、
請求項１６、１７又は１８に記載のインフラストラクチャ機器。
【請求項２０】
前記送信器／受信器ユニットは、対応する会話割り当てメッセージを用いて前記インフラストラクチャ機器を介して通信するために利用可能である前記所定のメッセージのセットを示すブロードキャスト信号を送信するように構成される、
請求項１６〜１９のいずれか１項に記載のインフラストラクチャ機器。
【請求項２１】
モバイル無線ネットワークを介してメッセージ交換を通信する方法であって、当該モバイル無線ネットワークは、無線アクセスインタフェースを介してモバイル通信装置へ及びからデータを通信するように構成される１つ以上の基地局を含み、前記方法は、
前記基地局と前記モバイル通信装置のうちの１つ以上との間の所定のメッセージ交換のセットにおける１つ以上のメッセージ交換の各々の標識を記憶することと、
各メッセージ交換は、所定のメッセージの所定のセットを含み、並びに基地局と前記モバイル通信装置との間でアップリンク及び／又はダウンリンク上で前記メッセージ交換を通信するための所定のアップリンク通信リソース及び／又はダウンリンク通信リソースを必要とすることと、
メッセージプロセッサは、動作中に、
前記メッセージストアに記憶される前記メッセージ交換の前記標識を用いて、前記モバイル通信装置への通信のための会話割り当てメッセージを生成することと、
前記会話割り当てメッセージは、前記メッセージ交換における一連のメッセージを通信するための前記ダウンリンク及び／又は前記アップリンク上の通信リソースの割り当てのリストに関連付けられた標識を前記モバイル通信装置に提供することと、
前記会話割り当てメッセージを前記モバイル通信装置に通信することと、
前記会話割り当てメッセージに応じて、前記会話割り当てメッセージによって割り当てられる前記アップリンク通信リソース及び／又はダウンリンク通信リソースを用いて、前記モバイル通信装置と前記基地局との間で関連付けられたシグナリングメッセージ及びデータメッセージを通信することと、
を含む、方法。
【発明の詳細な説明】
【技術分野】
【０００１】
本発明は、無線アクセスインタフェースを介してモバイル通信装置とデータを通信するように構成される通信システムに関する。本発明は、モバイル無線ネットワークとデータを通信する通信装置、モバイル無線ネットワークのためのインフラストラクチャ機器、及びモバイル無線ネットワークとデータを通信するための方法にも関する。
【背景技術】
【０００２】
モバイル通信システムは、過去約１０年間にわたりＧＳＭシステム（Global  System  for  Mobile  Communications）から３Ｇシステムへと進化し、今や回線交換通信だけでなくパケットデータ通信も含む。第３世代プロジェクトパートナーシップ（３ＧＰＰ）は、より早期のモバイル無線ネットワークアーキテクチャのコンポーネントと、ダウンリンク上の直交周波数分割多重（ＯＦＤＭ：Orthogonal  Frequency  Division  Multiplexing）及びアップリンク上のシングルキャリア周波数分割多元アクセス（ＳＣ−ＦＤＭＡ：Single  Carrier  Frequency  Division  Multiple  Access）に基づく無線アクセスインタフェースとの統合に基づいてコアネットワーク部分がより簡略化されたアーキテクチャを形成するように進化させられたＬＴＥ（Long  Term  Evolution）と呼ばれるモバイル通信システムを発展させることを開始した。
【０００３】
人対人（Ｈ２Ｈ：human  to  human）の通信は、ある人により別の人へ送信されるデータ又は少なくとも人間への提示のために送信されるデータとして一般に定義されることができる。モバイル通信システムはこれまでＨ２Ｈ通信に焦点を当てていたが、マシンタイプ通信（ＭＴＣ：machine  type  communications）と一般に呼ばれるマシンへの通信及び／又はマシンからの通信に応じる（cater）ことへの要望が存在する。マシン対マシン（Ｍ２Ｍ：Machine  to  machine）通信は、通信の送信側及び受信側の双方がマシンであるＭＴＣ通信の一形態である。マシンにより開始されるＭＴＣ通信は、例えばマシンの何らかの属性、又は何らかのモニタリングされるパラメータ、又はいわゆるスマートメータをレポートする何らかの他の刺激（stimulus）又はイベントに応答して、自動的にソースから生成されたデータを通信することと特徴付けられることができる。従って、音声による人間の通信はデータが間に中断を挟む数ミリ秒のバーストで生成される数分の通信セッションを要求する通信であると特徴付けられ、又はビデオによる人間の通信は実質的に一定のビットレートでデータをストリーミングすることであると特徴付けられることができる一方、ＭＴＣ通信は少量のデータを散発的に通信することと一般に特徴付けられることができる。ただし、多種多様なＭＴＣ通信の候補も存在することが認識されるであろう。
【０００４】
認識されるように、無線通信帯域幅及びコアネットワークリソースをできる限り効率的に用いるモバイル通信を提供することが一般に望ましく、これはあらゆるタイプのデータ通信について当てはまるが、ＭＴＣ通信は、モバイル通信システムの発展に新たな課題を提示し得る。
【発明の概要】
【０００５】
本発明によれば、モバイル無線ネットワークを備える通信システムが提供され、当該モバイル無線ネットワークは、無線アクセスインタフェースを介してモバイル通信装置へ及びからデータを通信するように構成される複数の基地局を含む。上記モバイル無線ネットワークは、メッセージプロセッサと、メッセージストアと、を含むように適合され、当該メッセージストアは、基地局と通信装置のうちの１つ以上との間の所定のメッセージ交換のセットにおける１つ以上のメッセージ交換の各々の標識を記憶するように構成され、各メッセージ交換は、所定のメッセージの所定のセットを含み、並びに基地局と通信装置との間でアップリンク及び／又はダウンリンク上でメッセージ交換を通信するための所定のアップリンク通信リソース及び／又はダウンリンク通信リソースを必要とする。上記メッセージプロセッサは、動作中に、
上記メッセージストアに記憶されるメッセージ交換の標識を用いて、モバイル通信装置への通信のための会話割り当てメッセージを生成し、及び
当該会話割り当てメッセージをモバイル通信装置に通信する
ように構成され、
当該会話割り当てメッセージは、メッセージ交換のうちの１つ以上のメッセージを通信するためのダウンリンク及び／又は前記アップリンク上の通信リソースの割り当ての標識をモバイル通信装置に提供し、
会話割り当てメッセージに応じて、通信装置及び当該通信装置がアタッチされる基地局は、上記会話割り当てメッセージによって割り当てられるリソースを用いてメッセージ交換のうちのメッセージを通信するように構成される。
【０００６】
本発明の実施形態は、モバイル無線ネットワークを介して通信する通信装置のうちの１つと基地局のうちの１つとの間でメッセージ交換が為されるべきであることを検出する機能をメッセージコントローラが実行する構成を提供することができる。上記メッセージ交換は、メッセージ交換の所定のセットのうちの１つである。上記メッセージコントローラは、基地局又はモバイル無線ネットワークの別のインフラストラクチャ機器の一部を形成し得る。メッセージプロセッサは、関連付けられたメッセージストアを含み、当該メッセージストアは、メッセージプロセッサが認識することができるメッセージ交換のセットを定義するデータを記憶するように構成される。データは、例えばテーブルの形式をとり得る。メッセージストアは、各メッセージ交換について、メッセージを通信するために要求される共有チャネルリソースの量などの通信リソースの量を識別する。当該メッセージは、アップリンク若しくはダウンリンク若しくはアップリンク及びダウンリンクの双方上の送信データ並びに／又は１つ以上のシグナリングメッセージのセットを含み得る。アップリンク又はダウンリンク上のデータメッセージ又は１つの基地局から別の基地局へアタッチメントを変更するためにモバイル通信装置について要求され得るものなどのシグナリングメッセージの所定のシーケンスを通信することを含め、メッセージ交換については種々の理由が存在する。
【０００７】
本明細書において用いられる「会話割り当てメッセージ（conversation  allocation  message）」は、適合された割り当てメッセージを指し、当該メッセージは、メッセージ交換を通信するためにアップリンク及び／又はダウンリンク上でリソースを割り当てるためにモバイル無線ネットワークから通信装置へ通信され得る。当該メッセージ交換は、シグナリングメッセージのみ又はシグナリングメッセージ及びデータメッセージの通信を含み得る。上記メッセージ交換は、アップリンク、ダウンリンク、又はアップリンク及びダウンリンク上で通信され得る。それ故に、会話割り当てメッセージは、既知のシステムにおいてメッセージ交換のシグナリングメッセージ及び／又はデータメッセージの各々について通信されなければならない割り当てメッセージを置換することを目的とする。
【０００８】
通信装置のうちの１つと基地局のうちの１つ以上との間でメッセージ交換が通信されるべきであるという標識をメッセージプロセッサが受け取る場合、メッセージプロセッサは、メッセージストアに記憶されたメッセージの予め定義されるセットを分析することによって、メッセージ交換がメッセージ交換の所定のセットのうちの１つであることを検出する。メッセージプロセッサは、例えばより上位の層のシグナリングを用いることによって、又は例えばヘッダ若しくは同様のメタデータがデータメッセージと共に提供され例えば基地局において受信される場合に、配信されるべきデータメッセージを認識するなど、複数の予め定義されるトリガのうちの１つを用いてメッセージ交換を認識することができる。別の実施形態において、予め定義されるトリガは、モバイル通信装置が基地局のうちの１つから別の基地局へハンドオーバすべきであるという標識などの所定のイベントであり得る。メッセージプロセッサは、メッセージ交換を通信するために要求されるアップリンクリソース又はダウンリンクリソースの標識を取得し、当該メッセージ交換は、１つ以上のシグナリングメッセージ通信を含み得、アップリンク又はダウンリンク又はアップリンク及びダウンリンクの双方上での１つ以上のデータメッセージの通信も含み得る。あるいは、メッセージ交換は、１つ以上のシグナリングメッセージを通信することのみを含み得る。メッセージプロセッサは、メディアアクセス制御層及び無線リソース層のプロセッサなどの他のプロトコル層の機能との組み合わせにおいて動作して、メッセージ交換を通信するために要求される関連付けられたシグナリングメッセージ及びデータチャネルリソースを通信するために要求されるリソースを識別し得る。
【０００９】
１つの例において、データチャネルリソース及びシグナリングチャネルリソースは、例えばダウンリンク共有チャネル又はアップリンク共有チャネルなどの共有通信チャネルを用いて提供され得る。従って、基地局の従来の機能との組み合わせにおいて、メッセージプロセッサは、メッセージ交換の通信のために例えばダウンリンク共有チャネル及び／又はアップリンク共有チャネル上のタイムスロット及び周波数などの通信リソースを予約する。メッセージプロセッサは、会話割り当てメッセージを形成する。１つの例において、会話割り当てメッセージは、シグナリングメッセージ及び／又はデータメッセージを通信するための予約された通信リソースの完全な割り当てを単一のメッセージに束ね（bundles）、この会話割り当てメッセージを通信装置に通信する。
【００１０】
会話割り当てメッセージを受信すると、通信装置は、メッセージ交換の関連付けられたシグナリングメッセージ及びデータメッセージの全てを送信し及び受信するために要求されるダウンリンクリソース及び／又はアップリンクリソースの全ての標識を提供され、当該標識は、ダウンリンク上でデータメッセージを受信すること又はアップリンクデータメッセージを送信することを含み得る。
【００１１】
既知の構成は、関連付けられたシグナリングメッセージの各々及び随意的にデータメッセージを通信するために、割り当てメッセージ及びアップリンク通信要求メッセージが通信装置と基地局との間で通信されて、例えば共有チャネル上で通信リソースが予約されることを要求する。それ故に、例えば１つ以上のシグナリングメッセージの決定論的なセット並びにアップリンク及び／又はダウンリンク上でのある量のデータの通信を要求するメッセージ交換を通信するためのより効率的な構成を提供することへの要求が存在することが認識されている。
【００１２】
本発明の実施形態は、会話割り当てメッセージを用いて通信リソースの一部又は全てを事前に割り当て、それにより、関連付けられたシグナリングメッセージ及びデータメッセージの通信についてリソースを割り当てるために要求される通信リソースに比例した節約を提供する。３ＧＰＰ  ＬＴＥ標準に従って構成されるモバイル無線ネットワークについての１つの例において、リソースは、ダウンリンク共有チャネル（ＤＬ−ＳＣＨ）及び／又はアップリンク共有チャネル（ＵＬ−ＳＣＨ）上のリソースを割り当てるために物理ダウンリンク制御チャネル（ＰＤＣＣＨ）などの制御チャネルを介して会話割り当てメッセージを通信することによって予約される。結果として、メッセージ交換の各シグナリングメッセージ及び各データメッセージについて割り当てメッセージを通信するのではなく、メッセージ交換についてのリソース全てを割り当てるために送られる必要があるのは、１つ以上のシグナリングメッセージ及び随意的に１つ以上のデータメッセージを含む１つの会話割り当てメッセージのみであるため、相当の（proportional）節約が存在する。アップリンク上のリソースを節約するために、通信装置は、物理ランダムアクセスチャネルなどのチャネル上でスケジューリング要求メッセージを送信し得る。当該スケジューリング要求メッセージについて、応答は、ＰＤＣＣＨなどの制御チャネル上で基地局から受信される。従って、アップリンクリソースの効率的な割り当てが改善される。
【００１３】
幾つかの実施形態において、通信装置は、ＭＴＣ装置として動作するように構成される。通信装置がＭＴＣ装置であるこの例の場合、典型的に、ＭＴＣ装置への又はからの通信のためのデータメッセージは、比較的少量のデータを要求し得る。従って、ＭＴＣ装置に小さいデータメッセージを通信するために要求されるシグナリングの量は、関連付けられたシグナリングメッセージを通信すること、並びにシグナリングメッセージ及びデータメッセージの双方について要求される割り当てメッセージを通信することの双方のために要求されるオーバーヘッドの量と比較して、当該メッセージの通信を非効率的にしてしまう。さらに、基地局によってサービスされるセル内で動作中であり得るＭＴＣ装置の数を考慮すると、ＬＴＥについてのＰＤＣＣＨなどのリソースを割り当てるために要求される制御チャネルへのアクセスは、あまりに大きくなり、ダウンリンク上で通信を受信し又はアップリンク上で通信を送るためのＭＴＣ装置の能力を低減し得る著しい輻輳を引き起こしかねない。従って、本発明の実施形態は、例えばダウンリンク共有チャネル又はアップリンク共有チャネル上のリソースを割り当てるために基地局と通信装置との間の無線アクセスインタフェースによって提供される（ＬＴＥについてのＰＤＣＣＨなどの）制御チャネル上の輻輳を軽減することを目指す。
【００１４】
認識されるであろうように、本発明の実施形態は、通信装置にアップリンクリソースを割り当てるために、アップリンク上で当該通信装置によって通信されるランダムアクセスメッセージに応じてダウンリンク上で会話割り当てメッセージを通信するメッセージプロセッサを含む。
【００１５】
本発明のさらなる観点及び特徴は、添付の特許請求の範囲において定義され、インフラストラクチャ機器、通信装置及び通信する方法を含む。
【図面の簡単な説明】
【００１６】
本発明の例示的な実施形態は、同様の部分が同じ参照符号を有する添付の図面を参照しつつ、説明されるであろう：
【００１７】
【図１】ＬＴＥ  ３ＧＰＰ標準に従ってモバイル無線ネットワーク内で動作するモバイル通信装置の概略ブロック図である。
【図２】従来の動作に従ってシグナリング及びデータメッセージの双方がモバイル無線ネットワークから通信装置に通信されるメッセージ交換の１つの例を例示するシグナリングメッセージのフロー図である。
【図３】割り当てメッセージも含まれる、図２に示される例と同様の例を提供する例示的なメッセージ交換である。ただし、モバイル通信装置と基地局との間で交換されるメッセージのみを示す。
【図４】３ＧＰＰ  ＬＴＥ標準に従って構成されるが、本発明の一実施形態に従って適合されるモバイル無線ネットワークの概略ブロック図である。
【図５】図３ａ及び図３ｂに示される例に対応するが、本発明の例示的な実施形態に従って適合される例示的なメッセージフロー図である。
【図６】本発明のさらなる観点及び実施形態を例示するメッセージ交換のさらなる例の表示を提供する図である。
【図７】メッセージ交換のメッセージのうちの１つが誤って受信される場合の、本発明のさらなる観点及び実施形態を例示するメッセージ交換のさらなる例の表示を提供する図である。
【図８】例示的な実施形態に従ってモバイル通信装置にブロードキャスト信号を通信する基地局の概略ブロック図である。
【図９】本発明のさらなる観点及び実施形態を例示するメッセージ交換図のさらなる例の表示を提供する図である。
【図１０】本発明のさらなる観点及び実施形態を例示するメッセージ交換図のさらなる例の表示を提供する図である。
【図１１】会話割り当てメッセージの概略図である。
【発明を実施するための形態】
【００１８】
本発明の実施形態は、３ＧＰＰ  ＬＴＥ標準に従って動作するモバイル無線ネットワークを用いる実装を参照しつつ説明されるであろう。図１は、ＬＴＥネットワークの例示的なアーキテクチャを提供する。図１に示されるように、及び従来のモバイル無線ネットワークのように、ユーザ機器（ＵＥ：user  equipment）１と示されるモバイル通信装置は、ＬＴＥにおいてエンハンストノードＢ（ｅＮｏｄｅＢ）と呼ばれる基地局２へ及びからデータを通信するように構成される。無線アクセスインタフェースを介してデータを送信し及び受信するために、通信装置１の各々は、送信器／受信ユニット３を備える。
【００１９】
基地局又はｅＮｏｄｅＢ２は、サービングゲートウェイ（Ｓ−ＧＷ）６に接続される。Ｓ−ＧＷ６は、通信装置１がモバイル無線ネットワークの全体にわたりローミングするにつれて当該通信装置１へのモバイル通信サービスのルーティング及び管理を実行するように構成される。移動性管理及び接続性を維持するために、移動性管理エンティティ（ＭＭＥ：mobility  management  entity）８は、ホーム加入者サーバ（ＨＳＳ：home  subscriber  server）１０に記憶される加入者情報を用いて通信装置１とのエンハンストパケットサービス（ＥＰＳ）接続を管理する。他のコアネットワークコンポーネントは、ポリシー課金及びリソース機能（ＰＣＲＦ：policy  charging  and  resource  function）１２と、インターネットネットワーク１６及び最終的に外部のサーバ２０に接続するパケットデータゲートウェイ（Ｐ−ＧＷ）１４と、を含む。ＬＴＥアーキテクチャについてのさらなる情報は、Holma  H.及びToskala  A.著  ”LTE  for  UMTS  OFDM  and  SC-FDMA  based  radio  access”と題された書物の２５頁以降から収集され得る。
【００２０】
ＭＴＣ通信装置に通信され得るものなどの、通信装置にダウンリンク上でデータメッセージを通信するために要求される典型的なメッセージ交換は、図２に示される。図２において、サーバ２０、パケットゲートウェイ１４、サービングゲートウェイ１６、移動性管理エンティティ８、ｅＮｏｄｅＢ２、及びモバイル通信装置１の各々は、メッセージ交換に従ってデータメッセージだけでなく様々なシグナリングメッセージも通信するものとして例示される。例えば、データメッセージＤ２２は、サーバ２０から受信され、当該メッセージは、ＭＴＣ通信であってもよく、モバイル通信装置は、１つの例においてＭＴＣ装置である。図２に示されるメッセージＭ２１は、データメッセージＤ２２が通信装置１に通信されることを可能にするために通信装置１がネットワークに接続する必要があることを通信装置１に通知するページングメッセージである。メッセージ交換Ｍ２３は、通信装置１とｅＮｏｄｅＢ２との間でアップリンクシグナリングメッセージ及びダウンリンクシグナリングメッセージの双方を要求する無線リソース通信（radio  resource  communication）セットアップを提供する。メッセージＭ２４は、ＭＭＥ８に通信されるメッセージも含むセキュリティモードコマンド及びＳＲＶ要求を提供する。ダウンリンク共有チャネルを用いてベアラをセットアップするために通信されるさらなるメッセージＭ２５は、ベアラ確認セットアップメッセージだけでなくＲＲＣ再設定（reconfiguration）メッセージも含む。最後に、Ｍ２Ｍデータは、データメッセージＤ２６として通信され、予約された通信リソースを解除する（release）メッセージＭ２７がその後に続く。
【００２１】
図２において、Ｄ２６を含む、Ｍ２３からＭ２７の範囲内にある通信装置１とｅＮｏｄｅＢ２との間のメッセージの全ては、メッセージ交換の一部である。認識されるであろうように、ｅＮｏｄｅＢ２と通信装置１との間のメッセージに加えて、ｅＮｏｄｅＢとＭＭＥとの間（及び、ＭＭＥとＳ−ＧＷとの間）にもメッセージ交換内のメッセージによってトリガされ得るメッセージは存在する。しかしながら、これらのネットワークメッセージは、ｅＮｏｄｅＢ２とモバイル通信装置１との間の無線アクセスインタフェース上の「メッセージ交換」の一部ではない。
【００２２】
ＬＴＥについての３ＧＰＰ標準及び他のモバイル通信システムについても精通している者によって認識されるであろうように、各シグナリングメッセージ又は各データメッセージは、割り当てメッセージを介して割り当てられるべきアップリンク通信リソース又はダウンリンク通信リソースを必要とする。当該割り当てメッセージは、例えばＬＴＥ標準の場合、ダウンリンク上の物理ダウンリンク制御チャネル（ＰＤＣＣＨ：physical  downlink  control  channel）上で通信される割り当てメッセージである。当該割り当てメッセージは、ダウンリンク共有チャネル又はアップリンク共有チャネル上のリソースを必要に応じて割り当てる。当該リソースは、メッセージ交換の構成要素となる（constituent）シグナリングメッセージ又は構成要素となるデータメッセージのいずれかを搬送するために用いられる。
【００２３】
ＭＴＣ通信装置の例の場合、ＭＴＣ装置へ通信され又はＭＴＣ装置から通信されるデータメッセージは、典型的に比較的少量のデータである。それ故に、通信装置１とｅＮｏｄｅＢ２及び移動性管理エンティティ８との間で通信されなければならないメッセージの数を考えると、著しい量の割当メッセージが通信されなければならず、各割り当てメッセージは、当該割り当てメッセージ自身のＰＤＣＣＨを要求する。さらに、アップリンク共有チャネル上のリソースの割り当ての例の場合、割り当ては、ランダムアクセスチャネル（ＲＡＣＨ）又は物理ランダムアクセスチャネル（ＰＲＡＣＨ）上で送信される要求メッセージ又はバッファステータスレポートの通信を最初に要求する。そのため、ＭＴＣ通信装置へ通信され又はＭＴＣ通信装置から通信されるデータメッセージが比較的少量のデータを表し得ると考えると、データメッセージを通信することの相対的効率は、この通信について要求される比較的高いオーバーヘッドの結果として低くなり得る。オーバーヘッドは、関連付けられたシグナリングメッセージの量、及びＰＤＣＣＨを介した付随する割り当てメッセージ、並びに適切な場合はＲＡＣＨ上の通信についての通信リソースを含む。この非効率性の実例は、図３（ａ）及び図３（ｂ）から理解することができる。図３（ａ）及び図３（ｂ）は、通信装置へのダウンリンクデータメッセージ通信についての例示的なメッセージ交換の図を提供し、ＰＤＣＣＨを介してアップリンク共有チャネル及びダウンリンク共有チャネル上のリソースを割り当てることに関連付けられたシグナリングメッセージ、及びＲＡＣＨ上で通信装置によって為されるアップリンク共有チャネルリソースについての要求を含む。これらのメッセージは、アスタリスク「＊」により示される。
【００２４】
比較的少量のデータを通信することの相対的な非効率性に加えて、ＭＴＣ通信装置をサポートするモバイル無線ネットワークについてはそのような通信の数が大きくなり得るという懸念がある。ＰＤＣＣＨなどの通信チャネルの帯域幅は限定されるため、割り当てメッセージを配信するための容量は制限され得る。それ故に、例えばＬＴＥにおけるＰＤＣＣＨに対してのデマンドの量は、ＭＴＣ通信装置をサポートするネットワークについて輻輳を引き起こし得る。ＵＴＲＡなどの他のシステムにおいて、ＨＳ−ＳＣＣＨは、ＨＳ−ＤＳＣＨ（ＤＬ）を割り当てることができ、当該ＨＳ−ＳＣＣＨは、ＬＴＥにおけるＰＤＣＣＨの役割と同様の役割を実行する。ｅ−ＵＴＲＡにおいては、アップリンク及びダウンリンクにおいてリソースを持続的に割り当てることが可能である。この準持続的な（semi-persistent）リソースの割り当ては、無駄が多く且つ遅くなり得る、より上位の層のシグナリングを要求する。準持続的なスケジューリングによって割り当てられるリソースをメッセージ交換内のメッセージのシーケンスに合わせる（tailor）ことは可能ではないことがあり、割り当てられたＤＬ−ＳＣＨリソース又はＵＬ−ＳＣＨリソースの浪費をもたらす。これは、準持続的なスケジューリングでは、あるリソースが定期的に割り当てられるためである。メッセージ交換内のメッセージは必ずしも定期的ではないため（図２におけるギャップを参照）、ＤＬ−ＳＣＨは特定の通信装置に割り当てられるが、当該通信装置は当該リソースを用いることができないという理由で、送信が存在しない期間は無駄となる。
【００２５】
メッセージプロセッサ／ストアの会話割り当てメッセージ
本発明の実施形態は、通信装置への又は通信装置からのメッセージの交換をより効率的に通信する構成（arrangement）を提供することができ、１つのアプリケーションにおいて、ＭＴＣ通信装置との通信をより効率的にすることができる。以下の段落において説明されるように、実施形態は、単一の割り当てメッセージである「会話割り当てメッセージ」を利用する。当該単一の割り当てメッセージは、例えばアップリンク共有チャネル又はダウンリンク共有チャネル上で、アップリンク通信リソース及び／又はダウンリンク通信リソースの全てを割り当てる。これらは、予め定義されるメッセージ交換の通信のために、必要なシグナリングメッセージの全て及びデータメッセージ自体を通信するために要求される。図２の例の場合、メッセージ交換は，Ｍ２３、Ｍ２４、Ｍ２５、Ｄ２６及びＭ２７のうちの１つ若しくは全てであってもよく、又はＭ２３、Ｍ２４及びＭ２５だけであり得る。
【００２６】
以下の段落において、ダウンリンクデータメッセージを通信することを含むメッセージ交換の例が提供されるが、本技法はＭＴＣ装置がＲＡＣＨ上で要求メッセージを送信することに応じて送信されるであろう、当該ＭＴＣ通信装置から基地局へのアップリンク上のデータメッセージの通信において同様に適用されることができることが認識されるであろう。さらに、当該技法は、シグナリングメッセージのみに関与する任意のメッセージ交換に適用されることができ、幾つかのさらなる例は、図９及び図１０を参照しつつ以下に提供されるであろう。
【００２７】
図４は、３ＧＰＰ  ＬＴＥ標準に従って動作するモバイル無線ネットワークの図１に示されるネットワーク図に基づく本発明の一実施形態の例示的な図を提供する。図４は図１に本質的に対応するため、図４と図１との間の相違点のみが説明されるであろう。
【００２８】
図４において、基地局又はエンハンストノードＢ装置４０の各々は、メッセージプロセッサ４２と、送信器／受信器ユニット４１と、関連付けられたメッセージストア４４と、を備える。メッセージストア４４内には、ＭＴＣ通信装置へ及び／又はＭＴＣ通信装置から通信され得る１つ以上の予め定義されるメッセージ交換の各々のＩＤ（identification）を提供するテーブル又は同様の構成を表すデータが記憶される。
【００２９】
本発明の実施形態は、ＭＴＣ通信がデータメッセージにおけるデータの量の観点とメッセージ交換における関連付けられたシグナリングメッセージの順序、フォーマット及び量の観点との双方において特に所定のフォーマットに従うことを認識して考案され、当該フォーマットは公式的である（formulaic）ということができる。従って、これらの観測値（observations）に基づいて、割り当てメッセージシグナリングの量は低減され、及び／又はシグナリングを割り当てる方法は最適化されるか又は少なくとも改善されることができる。この目的のため、会話割り当てメッセージは、メッセージ交換に参加することとなる通信装置への通信のためにメッセージプロセッサ４２によって生成される。会話割り当てメッセージは、ベアラを確立するために関連付けられたシグナリングメッセージをダウンリンク共有チャネル及び／又はアップリンク共有チャネル上で通信するためにアップリンク通信リソース及びダウンリンク通信リソースのいずれか又は双方の全て、並びに通信装置からモバイルネットワークへの又はモバイルネットワークから通信装置へのデータメッセージの通信のための例えばダウンリンク／アップリンク共有チャネル上でダウンリンク通信リソース又はアップリンク通信リソースを割り当てるように構成される。
【００３０】
従って、メッセージストア４４は、各メッセージ交換について、当該メッセージ交換を通信するために要求されるリソースを識別するテーブルを含む。例えば、リソースの標識は、通信装置と基地局との間で交換される関連付けられたシグナリングメッセージ、それらのシグナリングメッセージにおいて通信されなければならないデータの量、及びそれらの順序を特定し得る。さらに、データメッセージは所定のデータメッセージであるため、当該データメッセージを通信するために例えばダウンリンク上で通信されることが要求されるデータの量も上記テーブル内に含まれる。従って、上記テーブルは、アップリンクであろうとダウンリンクであろうと、データメッセージを通信するためのベアラを確立するために要求される関連付けられたシグナリングメッセージを通信するための通信リソースの標識と、例えばデータメッセージを通信するために要求されるダウンリンクリソースといったリソースの標識と、を提供する。
【００３１】
データメッセージを通信するために要求され得るメッセージ交換の一例は、図５及び図６に例示される。図５及び図６は、図２に示されるフロー図に対応するメッセージフロー図を提供する。図５において、ＭＴＣデータメッセージは、より上位の層におけるｅＮｏｄｅＢ４０において受信され、セットアップメッセージ６２をトリガする。ｅＮｏｄｅＢ４０内のメッセージプロセッサ４２は、会話割り当てメッセージを生成し、当該会話割り当てメッセージをＰＤＣＣＨ６４を介して通信装置に通信する。それ故に、メッセージプロセッサ４２は、関連付けられたメッセージストア４４に記憶される標識を用いてデータメッセージが所定のメッセージ交換のうちの１つを要求するものであると認識することによって、データメッセージ６０に応答する。従って、より上位の層のシグナリング、メタデータの送信、又はデータメッセージ６０のヘッダ中の標識を用いることで、メッセージプロセッサ６２は、メッセージ交換がメッセージストア４４のテーブル内の所定のメッセージ交換のうちの１つであると識別することが可能である。テーブルは、メッセージプロセッサ４２に、同じダウンリンク共有チャネル（ＤＬ−ＳＣＨ）を介してデータメッセージを通信するためのベアラを確立するために要求される１つ以上のシグナリングメッセージを通信するために要求されるアップリンクリソース及び／又はダウンリンクリソース、及びメッセージ交換を通信するために当該ＤＬ−ＳＣＨ上でデータメッセージを通信するために要求されるダウンリンクリソースの標識を提供する。従って、メッセージプロセッサ４２は、従来の基地局のスケジューラとの組み合わせにおいて動作して、１つ以上の関連付けられたシグナリングメッセージを通信するためのアップリンクリソース及び／又はダウンリンクリソースと、データメッセージを通信するためのダウンリンク共有チャネルリソースと、をスケジューリングする。従って、通信装置に通信される会話割り当てメッセージ６４は、アップリンク及びダウンリンクの双方上でシグナリングメッセージを通信するために要求されるリソースと、データメッセージを通信するためのダウンリンクリソースと、を識別する。
【００３２】
その後、図５において６８とまとめて識別される、通信装置４６とｅＮｏｄｅＢ４０との間のメッセージ交換は、図２に例示される従来の構成と同様に継続する。この例示的な実施形態において、図５のメッセージ交換は、会話割り当てメッセージの使用に起因して、図３に例示されるような個別の割り当てメッセージを含まない。同じＭＡＣ層及びメッセージ交換内の上記メッセージは、図５及び図２において送信される。
【００３３】
上記に説明したように、図３（ａ）及び図３（ｂ）は、既知の例示的なメッセージ交換の図を提供し、図２に示される例とは異なり、アップリンク上のランダムアクセスチャネル（ＲＡＣＨ）及びダウンリンク共有チャネル（ＤＬ−ＳＣＨ）リソースをダウンリンク上に割り当てる物理ダウンリンク制御チャネル（ＰＤＣＣＨ）を介して通信されることが要求されるメッセージの図を提供する。従って、通信装置１とｅＮｏｄｅＢ２との間のアップリンク上でリソースが通信されなければならない図２に示されるメッセージの各々を通信するために、ＲＡＣＨを介したアップリンクリソースについての要求メッセージに続き、ダウンリンク割り当てメッセージがＰＤＣＣＨを介して提供される。それ故に、ｅＮｏｄｅＢ２は、アップリンク共有チャネルリソースについての割り当てメッセージによりＰＤＣＣＨ上で応答する。対応して、ｅＮｏｄｅＢがダウンリンク上で通信するためのリソースを割り当てている場合、通信装置１に当該通信装置１が関係するメッセージを受信すべきダウンリンク共有チャネルリソースを通知するために、割り当てメッセージは、ダウンリンク共有チャネルリソースを割り当てるＰＤＣＣＨ上で送信されなければならない。従って、図３（ａ）及び図３（ｂ）に示されるように、アスタリスク「＊」により示される通信は、ＰＤＣＣＨ及びＲＡＣＨ上でそれぞれ通信される付加的な割り当てメッセージ及び要求メッセージであり、これらは図２に示されるメッセージの各々を通信するために要求される。割り当てメッセージ及び要求メッセージは、より上位の層のメッセージとして考えられることができるシグナリングメッセージ及びデータメッセージと比較して、より下位の層のメッセージとして考えられることができる。
【００３４】
図６に例示されるように、本技法によれば、アップリンク共有チャネルリソース及びダウンリンク共有チャネルリソースの全ては、星印により示される単一の会話割り当てメッセージ６４においてモバイル通信装置４６に通信される。従って、図３ａ及び図３ｂと比較すると、モバイル通信装置４６とｅＮｏｄｅＢ４０との間のＲＡＣＨメッセージ及びＰＤＣＣＨメッセージの通信において著しい低減が存在することが認識されることができる。従って、ＰＤＣＣＨ及びＲＡＣＨを介して通信される通信トラフィックの量における低減が存在する。
【００３５】
エラー回復
図７は、ｅＮｏｄｅＢ４０と通信装置４６との間で交換されるメッセージのうちの１つが、例えば送信エラーの結果として、正確に受信されない問題に対処する本発明のさらなる実施形態の実例を提供する。図６において、会話割り当てメッセージがモバイル通信装置に送られ、アップリンク通信リソース及びダウンリンク通信リソースが基地局によってメッセージ交換に割り当てられた後、基地局及びモバイル通信装置は、割り当てられたリソースを用いて交換のメッセージを交換することを開始する。認識されるであろうように、例えばＰＤＣＣＨ上のダウンリンク共有チャネルについての、又はＲＡＣＨ通信及びＰＤＣＣＨ通信を要求するアップリンク上で、従来の割り当てメッセージを通信することの目的の１つは、通信されているシグナリングメッセージ（より上位の層のメッセージ）の受信を確認するためにリソースを割り当てることである。確認受信シグナリングは、あるいは、シグナリング若しくはデータメッセージ上にピギーバックされ（piggy-backed）ても、又は暗黙的に送信されてもよく、それによって、例えば確認受信シグナリングの欠如は、シグナリング又はデータメッセージ上のエラーを示し得る。図７に例示されるように、例えばメッセージ７０は、無線アクセスインタフェースを介した送信におけるエラーの結果として、正確に受信されない。従って、個別のＰＤＣＣＨ割り当てメッセージ７２は、ダウンリンク共有チャネルリソースを割り当ててメッセージ７０を再送信し、このメッセージは、個別の割り当てメッセージ７２において割り当てられたリソースを用いて再送信される７４。従って、ＰＤＣＣＨを介する付加的な割り当てメッセージ７２は、ＲＲＣセットアップメッセージの再送信７４のためのリソースを割り当てるダウンリンク共有チャネル（ＤＬ−ＳＣＨ）上のリソースの従来の割り当てである。
【００３６】
図７に例示される例によれば、付加的なメッセージ７２、７４は、ＲＲＣセットアップメッセージ７０の送信のエラーを修復するために会話に挿入される。図６に示される時間Ｔ１によって表されるように、付加的なメッセージ７２、７４の挿入を許容するための充分な時間がメッセージ交換内において許容されるため、付加的なメッセージ７２、７４の送信は、会話割り当てメッセージ６４によって特定されるデータメッセージを通信するために要求されるメッセージ交換に挿入されることができる。
【００３７】
ブロードキャストチャネルからブロードキャストされる利用可能なメッセージ交換
本発明のさらなる例示的な実施形態は、図８に例示される。図８において、基地局４０は、当該基地局４０にアタッチされる（attached）通信装置４６の全てにブロードキャスト信号８０を定期的に送信するように構成される。メッセージプロセッサ４２は、メッセージストア４４との組み合わせにおいて、基地局４０が認識し及び会話割り当てメッセージ６４を用いて通信することができる、メッセージストア４４に記憶される認識されたメッセージ交換の各々の標識を通信するように構成される。従って、ネットワークにおけるどの基地局が予め定義されるメッセージ交換を通信することができるのかを確立し及び当該基地局に認識されることができるメッセージのタイプを示すための技法を提供する好都合な手法が提供される。ブロードキャスト信号８０の内容の一例は、メッセージフォーマット８２によって例示される。ブロードキャストメッセージフォーマット８２は、従来のフィールド８４と、基地局４０と通信装置４６との間で通信されることができる所定のメッセージ交換についての情報を提供するフィールド８６と、を含む。所定のメッセージ交換についての情報は、メッセージ交換ＩＤ８７と、メッセージ交換情報８８と、から成り、当該メッセージ交換情報は、メッセージ交換を達成する（effect）ために要求されるダウンリンク及び／又はアップリンクにおける通信リソースのリストから成る。さらに、通信されることができるメッセージ交換の数及びタイプを変更し、及び会話割り当てメッセージの使用をサポートすることができるネットワークの一部を設定するための柔軟な構成が提供される。
【００３８】
メッセージ交換のためのリソースが基地局４０によって通信装置４６に割り当てられる場合、会話割り当てメッセージ６４は、メッセージ交換ＩＤ８７を含み得る。通信装置は、メッセージ交換を達成するために要求されるリソースをセットアップするために、会話割り当てメッセージにおけるメッセージ交換ＩＤを当該ＩＤと関連付けられたリソースの定義８８と共に用いる。基地局４０は、通信割り当てメッセージ内にオフセットを付加的に含んでもよい。当該オフセットは、リソースをスケーリングファクタだけ増加させるか、又は時間／周波数空間におけるリソースを別のロケーションに変換するスケーリングファクタを割り当てられたリソースに提供し得る。
【００３９】
送信される会話割り当てメッセージの例示的な実施形態は、図１１に示される。会話割り当てメッセージ９８は、ＵＥのＩＤ９０と、メッセージ交換ＩＤ９２と、オフセット９４と、巡回冗長検査（cyclic  redundancy  check）９６と、から成る。メッセージ交換ＩＤ９２は、ブロードキャストチャネル上でシグナリングされるＩＤ８７のうちの１つに対応する。メッセージ交換ＩＤ９２とブロードキャストチャネル上でシグナリングされるメッセージ交換情報８８における対応する通信リソースの定義とが与えられると、通信装置は、当該通信装置に割り当てられる通信リソースを確かめることができる。オフセット９４は、例えばメッセージ交換ＩＤ９２を介して割り当てられる通信リソースに適用されるべきスケーリングファクタを、シグナリングすることができる。スケーリングファクタは、例えば、適用されるリソースをスケーリングファクタだけ増加させるか、又は時間周波数空間におけるリソースを別のロケーションに変換する。
【００４０】
別の実施形態において、会話割り当てメッセージ６４は、メッセージ交換の期間中に適用されるべき通信リソースを明示的に示す。
【００４１】
認識されるであろうように、本発明のさらなる実施形態は、アップリンク通信についての会話割り当てメッセージを通信するように構成されることができる。すなわち、上記に例示された例示的な実施形態は、アップリンク上で所定のタイプのデータメッセージを通信することに適用されることができる。これは、データメッセージを通信するための要求を送る通信装置と、ダウンリンクＰＤＣＣＨ上で対応する会話割り当てメッセージを通信することによって応答して、ダウンリンクのデータメッセージについて上述された実施形態について例示されたようにアップリンク共有チャネル及びダウンリンク共有チャネル上の通信リソースを割り当てるメッセージプロセッサ４２と、によって達成されるであろう。
【００４２】
さらなる例
上述されたような会話割り当てメッセージを用いてメッセージプロセッサ４２によって割り当てられることができるメッセージ交換のさらなる例は、図９及び図１０において提供される。図９において、メッセージ交換は、図示のようにアップリンク及びダウンリンク上で通信されるシグナリングメッセージＳ１、Ｓ２、Ｓ３、Ｓ４の通信を含む。さらに、図９のメッセージ交換の一部は、ダウンリンク上のデータメッセージＤＬ＿ＤＡＴＡ及びアップリンク上のデータメッセージＵＬ＿ＤＡＴＡの通信を含む。このメッセージ交換は、ＣＯＮＶ１などの適当なラベルを用いて識別されることができる。ラベルＣＯＮＶ１は、所定のメッセージ交換８６についての情報と関連付けられ得る。また、ラベルＣＯＮＶ１は、メッセージ交換ＩＤ８７に位置し（map）得る。図示のように、メッセージ交換ＣＯＮＶ１についてのリソースは、会話割り当てメッセージＣＯＮＶ１  ＭＥＳＳＡＧＥを用いて割り当てられ、当該メッセージは、ダウンリンクＰＤＣＣＨ上で送信される。
【００４３】
対照的に、図１０は、３つのシグナリングメッセージＳ５、Ｓ６、Ｓ７のみから成るメッセージ交換ＣＯＮＶ２を例示する。メッセージ交換ＣＯＮＶ２についての通信リソースの割り当ては、ダウンリンクＰＤＣＣＨ上で第２の会話割り当てメッセージＣＯＮＶ２  ＭＥＳＳＡＧＥによって提供される。ラベルＣＯＮＶ２は、所定のメッセージ交換８３についての第２の情報に関連付けられ得る。また、ラベルＣＯＮＶ２は、メッセージ交換ＩＤ８９に位置し得る。
【００４４】
メッセージ交換を識別するためにメッセージプロセッサ４２によって用いられ得る種々のイベントが予想されることができる。例えば、モバイル通信装置が１つの基地局から別の基地局へハンドオーバすべきであることを示し且つダウンリンク又はアップリンクのいずれか上で送信されるシグナリングメッセージは、当該メッセージがメッセージ交換の一部であることを識別し、従って、対応する会話割り当てメッセージを生成し及び送るために用いられることができる。別の例は、モバイル通信装置が送るべきデータをもう有しないこと、当該通信装置のパワーダウン、又はタイムアウト等であり得る。この後者の例において、図１０に示されるようなシグナリングメッセージから成るメッセージ交換が発生し得る。
【００４５】
添付の特許請求の範囲において定義される本発明の範囲から逸脱することなく、上記の実施形態について種々の変更が為されることができる。特に、本発明の実施形態はＬＴＥモバイル無線ネットワークに関して説明されているが、本発明が３Ｇ、ＧＳＭ、ＵＭＴＳ、ＣＤＭＡ２０００等といった他の形態のネットワークに適用されることができることが認識されるであろう。本明細書において用いられる通信装置という用語は、ユーザ機器（ＵＥ）、モバイル通信装置、モバイル端末等と置き換えられることができる。さらに、基地局という用語はｅＮｏｄｅＢと互換的に用いられているが、これらのネットワークエンティティ間には機能性において何ら差異は無いこと、及び他のアーキテクチャにおいて基地局は無線ネットワークコントローラと結合して上記説明においてｅＮｏｄｅＢ／基地局によって実行された機能のうちの幾つかを実行し、それ故に、上記発明をＧＰＲＳ、３Ｇ又は他のアーキテクチャに適用する場合は対応する変更が加えられ得ることが理解されるべきである。
【図１】
0005889312.tif 000002
【図２】
0005889312.tif 000003
【図３ａ】
0005889312.tif 000004
【図３ｂ】
0005889312.tif 000005
【図４】
0005889312.tif 000006
【図５】
0005889312.tif 000007
【図６】
0005889312.tif 000008
【図７】
0005889312.tif 000009
【図８】
0005889312.tif 000010
【図９】
0005889312.tif 000011
【図１０】
0005889312.tif 000012
【図１１】
0005889312.tif 000013